(57)【特許請求の範囲】
【請求項１】
偽造判定機能を有する画像発生装置及び偽造判定機能を有しない画像発生装置からカラー画像データを受信する受信手段と、
前記受信手段により受信されたカラー画像データからなるカラー画像が特定画像であるか判定する判定手段と、
前記受信手段により受信したカラー画像データを用いて画像形成部にカラー画像形成を行なわすべく、前記カラー画像データを出力する出力手段と、
前記カラー画像データが、前記偽造判定機能を有する画像発生装置が発生したものである場合、前記偽造判定機能を有する画像発生装置における判定結果により前記カラー画像形成を制御し、前記カラー画像データが前記偽造判定機能を有しない画像発生装置が発生したものである場合、前記判定手段による判定結果により前記カラー画像形成を制御する制御手段とを有し、
前記偽造判定機能を有する画像発生装置における判定結果を前記カラー画像データに先立って入力することを特徴とする画像処理装置。
【請求項２】
前記画像発生装置は、スキャナもしくはデジタルカメラであることを特徴とする請求項１項記載の画像処理装置。
【請求項３】
前記特定画像とは、紙幣、トラベラーズチェック等の有価証券であることを特徴とする請求項１項記載の画像処理装置。
【請求項４】
前記判定手段は、前記カラー画像をパターンマッチングもしくは色マッチングにより判定するかもしくは、前記カラー画像に含まれる電子透かし情報を判定することを特徴とする請求項１項記載の画像処理装置。
【請求項５】
前記偽造判定機能を有する画像発生装置は、該偽造判定の結果を前記カラー画像データに先立って送信することを特徴とする請求項１項記載の画像処理装置。
【請求項６】
前記受信手段は、ネットワークを介して前記カラー画像データを受信することを特徴とする請求項１項記載の画像処理装置。
【請求項７】
前記判定手段により前記カラー画像が特定画像であると判定された場合、または前記偽造判定機能を有する画像発生装置において前記カラー画像が特定画像であると判定された場合、前記出力手段は出力動作を停止することを特徴とする請求項１記載の画像処理装置。
【請求項８】
偽造判定機能を有する画像発生装置及び偽造判定機能を有しない画像発生装置からカラー画像データを受信し、
前記受信されたカラー画像データからなるカラー画像が特定画像であるか判定し、
前記受信されたカラー画像データを用いて画像形成部にカラー画像形成を行なわすべく、前記カラー画像データを出力する画像処理方法であって、
前記カラー画像データが、前記偽造判定機能を有する画像発生装置が発生したものである場合、前記偽造判定機能を有する画像発生装置における判定結果により前記カラー画像形成を制御し、前記カラー画像データが前記偽造判定機能を有しない画像発生装置が発生したものである場合、前記受信されたカラー画像データからなるカラー画像が特定画像であるか判定した結果により前記カラー画像形成を制御し、
前記偽造判定機能を有する画像発生装置における判定結果を前記カラー画像データに先立って入力することを特徴とする画像処理方法。
【発明の詳細な説明】
【０００１】
【発明の属する技術分野】
本発明は、有価証券、紙幣等のように、複製禁止対象の原稿を偽造防止する機能を有した画像処理装置、画像処理方法に関する。
【０００２】
【従来の技術】
近年、ＣＣＤ等を用いてカラー画像を読取るスキャナー装置と、カラーレーザビームプリンタやカラーインクジエツトプリンタ装置とを組み合わせた画像処理装置が開発されている。このような装置では、カラー画像の複写を行うことができるばかりでなく、上記プリンタ部にコンピュータ等を接続することによりカラープリンター装置として使用したり、カラー画像読取装置で読み取られた原稿画像データをコンピュータに取り込み、取りこまれた原稿画像データを上記プリンタ装置より、出力することが可能となっている。
【０００３】
【発明が解決しようとする課題】
このため、今日、紙幣や有価証券等のように、複製禁止対象の特定原稿が容易に偽造される恐れがある。
【０００４】
これは、上述の画像処理装置に上記特定原稿の偽造を防止する手段がないということから起こりえる欠点である。
【０００５】
本発明は、上述した従来例の欠点に鑑みてなされたものであり、その目的とするところは、カラー入出力画像に対して偽造判定処理を効率よく実施できる画像処理装置、画像処理方法を提供する点にある。
【０００６】
【課題を解決するための手段】
上述した課題を解決するために、本発明は、偽造判定機能を有する画像発生装置及び偽造判定機能を有しない画像発生装置からカラー画像データを受信する受信手段と、前記受信手段により受信されたカラー画像データからなるカラー画像が特定画像であるか判定する判定手段と、前記受信手段により受信したカラー画像データを用いて画像形成部にカラー画像形成を行なわすべく、前記カラー画像データを出力する出力手段と、前記カラー画像データが、前記偽造判定機能を有する画像発生装置が発生したものである場合、前記偽造判定機能を有する画像発生装置における判定結果により前記カラー画像形成を制御し、前記カラー画像データが前記偽造判定機能を有しない画像発生装置が発生したものである場合、前記判定手段による判定結果により前記カラー画像形成を制御する制御手段とを有し、前記偽造判定機能を有する画像発生装置における判定結果を前記カラー画像データに先立って入力することを特徴とする。
【０００７】
【発明の実施の形態】
以下に、添付図面を参照して、本発明に係る好適な実施形態を詳細に説明する。
【０００８】
＜第１の実施形態＞
図１は本発明の第１の実施形態を示す画像処理装置のブロツク図である。同図において、１０はスキャナー部、１００はプリンタ部を示し、それぞれがインターフェース部を介して接続されている。インターフェースは、セントロインターフェース、ＲＳ２３２Ｃ、ＵＳＢ、ＩＥＥＥ１３９４、インサーネット等のインターフェースであり、インターフェースの形態に制限はない。
【０００９】
スキャナー部１０中の１１はスキャナー部にセットされた原稿を光学的に読み取ってＲ，Ｇ，Ｂ３色のカラー画像データを出力する画像読み取り部、１２は画像読み取り部より出力されたカラー画像データを記憶する画像メモリ、１３は画像メモリ１２に接続された偽造判定部、１４は、画像メモリ１２に接続された画像処理部、１５は偽造判定部１３、および、画像処理部１４が接続されるインターフェース部であり、インターフェース部１５を介して、スキャナー部１０よりプリンター部１００へデータが送出される。プリンター部１００中、１１１はスキャナー部１０より送出されたデータが入力されるインターフェース部、１１２はインターフェース部１１１に接続された画像メモリ、１１３はインターフェース部１１１、および、画像メモリ１１２に接続された偽造判定部である。１１４は、画像メモリ１１２、および偽造判定部１１３に接続されたデータ処理部、１１５はデータ処理部に接続されたプリント部であり、プリント部１１５にて記録紙にカラー画像が形成されて出力される。尚、偽造判定部１３、１１３はそれぞれパターンマッチングと色マッチング等、異なる判定方法を採用しており紙幣、トラベラーズチェック等の有価証券の判定が可能である。
【００１０】
次に本実施例の動作について説明する。
【００１１】
図２、３は、本装置のコピースタートスイッチがＯＮされた場合のスキャナー部１０、および、プリンター部１００の動作を示すフローチャートである。コピースタートスイッチがＯＮされた場合、スキャナー部１０の原稿読み取り部１１は、所定の原稿台にセットされた原稿画像を走査し、原稿画像を光学系、および、光電変換素子を介してＲ，Ｇ，Ｂ画像データ信号に変換し、変換された画像データを画像メモリ１２に書き込み記憶する（ステップＳ１）。なお、画像メモリ１２は原稿画像１ページ分のデータ記憶容量を有するページメモリである。
【００１２】
次に、偽造判定部１３は、画像メモリ１２に記憶された画像データを参照し、予め用意された特定原稿の画像パターンと比較照合する（ステツプＳ２）。次に、メモリ１２に記憶された画像データのパターンが、上記特定原稿パターン画像と一致したかどうかが判別される（ステップＳ３）。ステップＳ３にて一致がしている場合に、フローは、ステップＳ４に進み、インターフェース部１５より、原稿画像読み取り部にて読み取られた原稿画像が特定原稿パターンに一致することを示す信号をプリンター部１００へ出力する。
【００１３】
ステップＳ３にて一致が無いと判別された場合には、フローは、ステップＳ５に進み、インターフェース部１５より、不一致を示す信号をプリンター部へ出力する。次に、画像メモリ１２に記憶された画像データは画像処理部１４に入力される。画像処理部１４では、入力された画像データ信号を、イエロー、シアン、マゼンタ、ブラックの４色の画像濃度信号に変換し、インターフェース部１５に出力する。インターフェース部１５は、入力された濃度画像信号をプリンタ部１００へ出力する。（ステップＳ６）。以上説明したように、スキャナー部１０は、原稿画像を読み取った画像データのパターンが特定原稿パターン画像と一致しなかった場合に限り、原稿画像濃度信号をインターフェースを介して出力する。
【００１４】
次に、第３図を用いてプリンター部１００の動作に関して説明する。
【００１５】
プリンター部１００には、スキャナー部１０のインターフェース１５に接続されたインターフェース部１１１より、データ信号が入力される（ステップＳ１１）。インターフェース１１１より入力されたデータ信号中、画像データは、画像メモリ１１２に入力され、画像メモリ１１２に記憶される（ステップＳ１２）。
【００１６】
次に、スキャナー部１０より出力された特定パターンとの一致、または、不一致検出信号が、偽造判定部１１３に入力され、まず、特定パターンとの不一致信号が入力されたかどうかが判別される（ステップＳ１３）。
【００１７】
不一致信号が入力された場合には、画像メモリ１２より、読みだされた画像濃度信号は、データ処理部１１４に入力される。データ処理部１１５では、入力された信号をプリントデータへ変換する処理が行われ、変換されたプリントデータがプリント部１５に出力され、プリント動作が開始される（ステップＳ１８）。
【００１８】
ステップＳ１３にて不一致信号が入力されていないと判断された場合フローはステップＳ１４に進み一致信号が入力されたかどうかが判別される。一致信号入力がありと判別された場合には、プリント動作を停止する（ステップＳ１７）。ステップＳ１４にて一致信号なしと判別された場合には、偽造判定部１1３は、画像メモリ１1２に記憶された画像濃度データを参照し、予め用意された特定原稿の画像パターンと比較照合する（ステツプＳ１５）。
【００１９】
次に、ステップＳ１６にて、偽造判定部１１３の照合結果が判別され一致があった場合には、プリント動作を停止する（ステップＳ１７）。一致が無かった場合、フローは、ステップＳ１８に進み、データ処理部１１５にて処理されたプリントデータがプリント部に出力されプリント動作が開始される。
【００２０】
以上説明した様に、第１の実施の形態によれば、スキャナー部１０の偽造判定部により、判定された偽造判定結果をプリンタ部１００に送出することにより、プリンタ部１００は、スキャナー部より入力された偽造判定結果を参照して、入力画像データのプリントを行うかどうかの制御を行う。
【００２１】
また、ステップＳ１４よりステップＳ１５にフローが進むのは、スキャナー部にて偽造判定が行われなかった場合である。上記実施例では、スキャナー部に偽造判定部１３を有する例を説明しているため、フローがステップＳ１５に進むことは無いが、従来技術における偽造判定部を持たないスキャナー部を本実施例のプリンター部に接続した場合に限り、ステップＳ１５にフローが進むことになる。ステップＳ１５はプリンタ部にて行われる偽造判定処理を示し、スキャナー部１０より、偽造判定結果の一致、不一致検出信号がともに入力されない場合に限りプリンタ部の偽造判定を実施するように制御される。
【００２２】
従って、スキャナー部にて、行われた偽造判定の結果がプリンター部に入力された際には、プリンター部にて偽造判定動作を行うことなく、直ちにプリント動作を開始することにより、スループットを向上させることが可能となる。
【００２３】
上記実施例においては、、スキャナー部１０の画像処理部１４にて、入力された画像データ信号が、イエロー、シアン、マゼンタ、ブラックの４色の画像濃度信号に変換される例を示し、スキャナー部１０の偽造判定部１３には、Ｒ，Ｇ，Ｂ画像信号が入力され、プリンタ部１００の偽造判定部１１３には、イエロー、シアン、マゼンタ、ブラックの画像濃度信号が入力される例をとなるが、スキャナー部１０の画像処理部１４にてイエロー、シアン、マゼンタ、ブラックの４色の画像濃度信号に変換することなく、Ｒ，Ｇ，Ｂ画像信号として、スキャナー部１０のインターフェース１５よりプリンタ部１００のインターフェース１１１へ出力するようにしてもよい。
【００２４】
この場合は、プリンタ部１００の偽造判定部への入力がＲ，Ｇ，Ｂ信号となり、プリンタ部１００のデータ処理部１１４にて、Ｒ，Ｇ，Ｂ画像信号が、イエロー、シアン、マゼンタ、ブラックの４色の画像濃度信号に変換されることになる。
【００２５】
また、上記実施例では、スキャナー部１０の画像メモリをページメモリとしたが、偽造判定部１３にて使用される特定原稿パターンとの比較照合を行う際に必要な領域分のメモリ容量があれば、必ずしも、ページメモリとする必要はない。
【００２６】
＜第２の実施形態＞
次に第２の実施の形態について説明する。第２の実施の形態は、第１の実施の形態におけるプリンタ部１００の動作フローを変更した例であり、これを図４に示す。
【００２７】
図４中、プリンタ部１００はインターフェース部１１１より、スキャナー部から出力されるデータ信号を入力する（ステップＳ１１）。次にステップＳ１３にて、インターフェース部より入力されたデータ信号中に、偽造判定結果の不一致信号があるかどうかが判別され、不一致信号がある場合には、フローは、ステップＳ１２に進み、入力画像データを画像メモリ１１２に書き込み、プリントが開始される（ステップＳ１８）。
【００２８】
また、ステップＳ１２の入力画像データのメモリ１１２への書き込みは、後段のデータ処理部１１４、プリント部１１５にて必要とされる容量分の書き込み終了後直ちに、ステップＳ１８にフローは進み、画像メモリ１１２よりデータが読み出されプリント動作が開始されるように制御される。この場合、画像メモリ１１２は、データ処理１１４およびプリント部１１５のデータ処理用バッファーメモリとして使用される。
【００２９】
ステップＳ１３にて不一致信号が無かった場合フローはステップＳ１４に進み、一致信号があるかどうかが判別される。一致信号があった場合には、フローはＳ１７に進みプリント動作を停止する。一致信号が無かった場合には、フローはＳ１９に進む、フローがＳ１９の進む場合は、スキャナー部にて偽造判定が行われていない場合を示す。ステップＳ１９では、入力画像データを１ページ分画像メモリ１１２に書き込む。
【００３０】
次にステップＳ１５にて偽造判定部１１３により特定パターンとの比較照合判定が行われ、ステップＳ１６にて特定パターンとの一致があったかどうかが判別される。一致が無かった場合には、ステップＳ１８によりプリント動作が開始され、一致があった場合には、ステップＳ１７にてプリント動作が停止される。なお、ステップＳ１７にてプリント動作が停止される際には、プリントに適さないデータ信号であることを示すエラー表示を行うようにしてもよい。
【００３１】
以上説明したように、スキャナー部にて偽造判定を行った結果信号がプリンタ部に入力された場合には、スキャナー部の偽造判定結果信号により、入力データをプリントするかどうかが制御され、偽造判定結果が入力されない場合には、プリンタ部にて、偽造判定を行い、特定パターンと一致しないデータであると判別された場合に限りデータ信号のプリント動作を行うように制御される。
【００３２】
以上より、スキャナー部にて行われた偽造判定結果に基づいて、プリンター部のプリント動作を制御し、スキャナー部にて偽造判定処理が行われ無かった場合に限りプリンター部にて行った偽造判定処理結果によりプリント動作を制御することにより、確実な偽造判定処理を行うことが可能なばかりか、偽造判定処理をスキャナー部、プリンター部にて２重に偽造判定処理が行われることがないため、プリントのスループットを向上させることが可能となる。
【００３３】
＜第３の実施形態＞
次に、第３の実施の形態を説明する。第３の実施の形態では、第１、２の実施の形態で説明した、スキャナー部、プリンター部が１対１で接続される場合と異なりそれぞれが、ネットワークを介して接続される場合の実施例である。
【００３４】
図５に第３の実施の形態のブロック図を示す。図５中、スキャナー部Ａ１０、プリンタ部１００は、第１の実施の形態にて説明した、プリンタ部１０、スキャナー部１００と同一の機能を有するものであり、同一機能を示すブロックには、同一番号を付してある。
【００３５】
図中４０は、ネットワークケーブルを示し、ネットワークケーブル４０に接続された機器は、ネットワークケーブルを介して、それぞれの機器間にてデータ信号の入出力を行うように構成されている。図５中２０は、スキャナー部Ｂを示す。スキャナー部Ｂは、偽造判定部を持たない構成のスキャナーであり、その他の構成要素は、スキャナー部Ａと同様である。また、
図５中３０は、ネットワーク４０に接続されたコンピュータである。
【００３６】
以下に、第３の実施例の動作に関して説明する。
【００３７】
スキャナー部Ａにて読み取られた原稿画像をプリンタ部１００より出力する場合の動作は、前記第１、第２の実施の形態にて説明したとおり、スキャナー部Ａにて行われた偽造判定結果をプリンタ部１００にて判断することにより、プリンタ部にて２重に偽造判定処理を行うことなく、直ちに画像データ信号のプリント実行、およびプリントの停止が行われる。
【００３８】
また、偽造判定部を持たないスキャナーＢにて読み取られた原稿画像データをプリンタ部１００にてプリントする際には、プリンタ部１００の偽造判定処理により、入力画像データが特定画像パターンと一致する否かが判断され、特定画像パターンとの一致が無い場合のみ、入力画像データのプリントを行い、一致があった場合には、プリント動作を停止する。以上より、確実な偽造判定処理が行えるばかりでなく、２重に偽造判定処理を行うことなくプリントのスループットを向上させることが可能となる。
【００３９】
次に、コンピュター３０が、スキャナー部Ａ、スキャナー部Ｂより、原稿画像を読み取った信号を取りむ場合の動作に関して説明する。
【００４０】
コンピュータ３０は、ネットワーク４０に接続さえたインターフェース部３５より、１０のスキャナー部Ａにスキャンコマンドを送出する。インターフェース１５より入力されたスキャンコマンドに応答して、前述の図２に示したフローに従って動作を開始する。キャナー部１０の原稿読み取り部１１は、所定の原稿台にセットされた原稿画像を走査し、原稿画像を光学系、および、光電変換素子を介して画像データ信号に変換し、変換された画像データを画像メモリ１２に書き込み記憶し、（ステップＳ１）偽造判定部１３により、特定画像パターンとの比較照合が行われ（ステップＳ２）、特定画像パターンとの一致が無かった場合には、インターフェース部１５より、不一致信号を送出し、（ステップＳ５）原稿画像データを送出する(ステップＳ６)。
【００４１】
インターフェース部１５より送出された不一致信号と画像データは、コンピュータ３０のインターフェース部３５より、コンピュータ３０ＲＡＭ３３に入力されるとともに、ハードディスク（ＨＤＤ）３４に記憶される。スキャナー部１０の偽造判定部１３により、特定原稿パターンとの、一致が検出された場合には、インターフェース部１５より、一致信号が送出され（ステップＳ４）、コンピュータ３０のインターフェース３５より、一致信号が取りこまれ、コンピュータ３０のＲＡＭに記憶される。
【００４２】
なお、スキャナー部１０の動作として、コンピュータ３０からの、指示により、スキャン動作を行った場合には、ステップＳ４にて一致信号を送出したのち、フローをステップＳ６に分岐させ、インターフェース１５より、画像データの送出を行う。よって、ステップＳ６により、スキャナー部１０のインターエースより出力された画像データがコンピュータ３０のインターフェース３５を介してコンピュータ３０のＲＡＭに入力され、その後、ハードディスク（ＨＤＤ）３４に記憶される。なお、コンピュータ３０のハードディスクには、スキャナー１０より出力された画像データと、この画像データに対応した、偽造判定結果信号である、特定パターンとの、一致、または、不一致信号が記憶される。
【００４３】
次に、コンピュータ３０より、ネットワーク４０に接続さえた偽造判定部を持たないスキャナー部Ｂ（２０）に、スキャンコマンドを送出し、スキャナー部Ｂの原稿台にセットされた原稿画像データを、コンピュータ３０に取りこむ場合の動作を説明する。コンピュータ３０のインターフェース３５より送出されたスキャンの指示コマンドをインターフェース１５より入力した、スキャナー部Ｂは、スキャナー部Ｂの原稿読み取り部１１により、所定の原稿台にセットされた原稿画像を走査し、原稿画像を光学系、および、光電変換素子を介して画像データ信号に変換し、変換された画像データを画像メモリ１２に書き込み、画像処理部にて所定の画像処理を行ったのち、インターフェース１５より、読み取った原稿画像データを出力する。
【００４４】
出力された原稿画像データは、インターフェース３５を介して、コンピュータ３のＲＡＭ３３に取りこまれるとともに、ハードディスク３４に記憶される。
【００４５】
以上のように、コンピュータ３０からの指示により、ネットワークに接続されたスキャナーは、原稿台におかれた原稿画像をスキャンし、スキャンすることにより得られた原稿画像信号を、コンピュータ３０に送出する。コンピュータ３０は、スキャンを指示したスキャナーより送出された原稿画像信号をコンピュータ内のハードディスク（ＨＤＤ）に記憶する。さらに、コンピュータ内のハードディスクに原稿画像データを記憶する際には、スキャナーより特定原稿パターンとの一致、不一致信号が送出されてきた場合には、これを、原稿画像データに対応させて、ハードディスクに記憶する。
【００４６】
次に、コンピュータ３０より、ハードディスクに記憶されたデータ信号をプリントする際の動作に関して説明する。コンピュタ３０は、プリントするデータ信号をハードディスク３４より、読み出しインターフェース３５、ネットワーク４０を介してプリンタ部１００のインターフェース部１１１に送出する。コンピュータ３０はプリント画像データ信号の送出に先立って、ハードディスクに記憶されたプリント画像データに対応した偽造判定結果信号が存在する場合にはこれを送出する。なお、プリンタ部１００の動作は、前述の図４に示したフローに従う。
【００４７】
プリンタ部では、インターフェース１１１よりデータを入力（ステップＳ１１）し、まず不一致信号があるかどうかを判別する（ステップＳ１３）。不一致信号があった場合には、続いて入力される画像データをメモリ１１２に書き込み（ステップＳ１２）プリント動作を開始する。不一致信号無かった場合には、一致信号があるかどうかが判別され（ステップＳ１４）一致信号があった場合には、プリント動作を停止する（ステップＳ１７）。
【００４８】
ステップＳ１４にて一致信号も検出されなかった場合は、入力画像データをメモリ１１２に書き込み（ステップＳ１９）、偽造判定部１１３により特定原稿の画像パターンとの比較照合がおこなわれ（ステップＳ１５）、特定画像パターンとの一致が検出された場合には、プリント動作を停止（ステップＳ１７），一致が検出されなかった場合には、プリント動作を開始する（ステップＳ１８）。
【００４９】
なお、ステップＳ１７にてプリント動作を停止する際には、プリントするに適さない画像データであることを示すコメント信号をインターフェース１１１より、コンピュータ３０のインターフェース３５に送出し、コンピュータ３０のＣＲＴ上に警告メッセージを表示するようにしてもよい。
【００５０】
以上より、コンピュータ３０が画像データをプリントする際に、その画像データに対応する偽造判定結果データある場合には、プリントしようとしている画像データの送出に先立って、偽造判定結果データをプリンタに送出することにより、プリンタ部では、再度偽造判定処理を行うことなく、直ちにプリント動作の開始、あるいは、プリント動作の停止を行うことが可能となる。
【００５１】
さらに、対応する偽造判定結果データが送出されてこない場合には、プリンタ部の偽造判定処理を行うことにより、有価証券、紙幣等のプリントするに適さない画像データのプリントを行うことを制限することが可能となる。
【００５２】
なお、上記実施例では、偽造判定部の判定結果により特定原稿パターンと一致する画像データと検出された際には、プリント動作を停止するように制御しているが、これは、プリント動作を停止することなく、特定の色（黒、イエロー、マゼンタ、シアン等）により、プリント画像出力を塗りつぶすようにしてもよい。
【００５３】
上記、スキャナー部、プリンタ部の偽造判定部では、画像データが特定の原稿パターンと一致しているどうかを判断し、有価証券、紙幣等の画像データか否かを判別しているが、偽造判定部の判定手段は、これに限定されるものではなく、画像データ中に埋め込まれた、電子透かし情報、あるいは、特定の周波数成分を検出することで複写をコントロールするようにしてもよい。
【００５４】
コンピュータによるスキャン指示により原稿台の原稿をスキャンし、スキャナー部の偽造判定処理により、原稿台に置かれた原稿が、有価証券、紙幣等判断された場合には、コンピュータに入力された特定原稿パターンとの一致信号により、複写が禁止されている原稿をスキャンした画像データを取りこんでいることに対する注意をコンピュータのＣＲＴ上に表示するようにしてもよい。
【００５５】
又、上述した実施の形態ではスキャナにより画像データを得ていたが、ディジタルカメラ、ディジタルカメラ用のメモリ（コンパクトフラッシュ、スマートカード、メモリステック）、画像サーバから画像データを得てもよいことは明らかである。
【００５６】
【発明の効果】
以上のように本発明によれば、既に特定画像の判定が済んでいるカラー画像データについては、再度判定を行なうことを防止でき、まだ判定が行なわれていないカラー画像データを確実に判定できる。その結果効率のよい特定画像の判定が可能となる。
【００５７】
また、複数の画像処理装置に複数の特定画像判定部がある場合、前記複数の特定画像判定部の何れかにおいて、カラー画像データの判定が行われた後、前記複数の特定画像判定部は、前記カラー画像データの判定を行なわないので、処理速度を向上することが可能となりパフォーマンスを向上できる。
【００５８】
更には、偽造判定機能を有する画像発生装置及び偽造判定機能を有ない画像発生装置からカラー画像データを受信し、前記受信されたカラー画像データからなるカラー画像が特定画像であるか判定し、前記受信されたカラー画像データを用いて画像形成部にカラー画像形成を行なわすべく、前記カラー画像データを出力する画像処理方法であって、前記カラー画像データが、前記偽造判定機能を有する画像発生装置が発生したものである場合、前記偽造判定機能を有する画像発生装置における判定結果により前記カラー画像形成を制御し、前記カラー画像データが前記偽造判定機能を有ない画像発生装置が発生したものである場合、前記受信されたカラー画像データからなるカラー画像が特定画像であるか判定した結果により前記カラー画像形成を制御するので、偽造判定機能を有する画像発生装置及び偽造判定機能を有ない画像発生装置いずれから受信したカラー画像データについても、好適に効率よい処理が可能となる。
【図面の簡単な説明】
【図１】第1の実施形態の画像処理装置のブロック図である。
【図２】コピースタートスイッチがONされた場合のスキャナ部の動作を示すフローチャートを示す図である。
【図３】プリンタ部１００の動作を示すフローチャートを示す図である。
【図４】第2の実施形態におけるプリンタ部１００の動作フローチャートを示す図である。
【図５】第３の実施形態のブロック図である。
【図１】
0004006140.tif 000002
【図２】
0004006140.tif 000003
【図３】
0004006140.tif 000004
【図４】
0004006140.tif 000005
【図５】
0004006140.tif 000006